(57)【要約】【課題】可動板の移動によって低周波振動入力時の防振装置本体の高動ばね化を抑制する液体封入式防振装置において、オリフィス通路の流路抵抗による防振機能を極力低下させずに、可動板の衝突による異音の発生を抑制することのできる液体封入式防振装置を提供する。【解決手段】エンジンマウントの受圧室１５ａと平衡室１５ｂとを区画する区画部材１６の中央部分には可動板１００を移動可能に収容した中間室２０が形成されており、中間室２０は貫通孔１８ｂ，１９ｂによって受圧室１５ａ及び平衡室１５ｂと連通されている。中間室２０に収容された可動板１００は液体が流動する隙間を有して貫通孔１８ｂ，１９ｂに遊挿される凸部１２０を有している。【選択図】図４
2008267453.tif 000002
【特許請求の範囲】
【請求項１】
振動源及び支持体に取り付けられる一対の取付部を連結する弾性部材と、同弾性部材と可撓性膜とによって区画形成され液体が封入された液室と、同液室を前記一対の取付部の相対変位により生じる前記弾性部材の変形に伴って内圧が変化する受圧室と前記可撓性膜が変形することにより容積変化が許容される平衡室とに区画する区画部材と、前記受圧室と前記平衡室とを連通するオリフィス通路とを備えるとともに、前記区画部材の内部に形成され同区画部材を構成する受圧室側仕切部材及び平衡室側仕切部材に設けられた貫通孔を通じて前記受圧室及び前記平衡室に連通する中間室と、前記受圧室側仕切部材と前記平衡室側仕切部材との間に収容され前記受圧室の内圧変化に伴って同中間室内で移動する可撓性材料からなる可動板とを備え、同可動板が前記受圧室側仕切部材又は前記平衡室側仕切部材に当接することによって前記貫通孔が覆われて同貫通孔を通じた液体の流動が遮断される液体封入式防振装置において、
前記可動板は液体が流動する隙間を有して前記貫通孔に遊挿される凸部を有してなる
ことを特徴とする液体封入式防振装置。
【請求項２】
請求項１に記載の液体封入式防振装置において、
前記可動板は、前記受圧室側仕切部材及び前記平衡室側仕切部材に複数形成された全ての前記貫通孔に対応するように前記凸部が複数設けられてなり、同凸部がそれぞれ対応する前記貫通孔に遊挿されてなる
ことを特徴とする液体封入式防振装置。
【請求項３】
請求項１又は請求項２に記載の液体封入式防振装置において、
前記可動板は、弾性材料によって形成されてなる
ことを特徴とする液体封入式防振装置。
【請求項４】
前記可動板における前記受圧室側仕切部材又は前記平衡室側仕切部材と当接する当接部に繊維からなる補強材が埋入されてなる
請求項１〜３のいずれか一項に記載の液体封入式防振装置。
【請求項５】
請求項１〜４のいずれか一項に記載の液体封入式防振装置において、
前記受圧室側仕切部材及び前記平衡室側仕切部材の少なくとも一方における前記可動板と当接する部分は、同可動板側に向かって凸となるように隆起してなる
ことを特徴とする液体封入式防振装置。
【請求項６】
請求項１〜５のいずれか一項に記載の液体封入式防振装置において、
前記可動板は、その延伸方向における外周部分が弾性材料によって形成されてなり、同外周部分は前記受圧室の内圧変化に伴う移動量が前記受圧室側仕切部材及び平衡室側仕切部材と当接する部分の移動量よりも相対的に小さくなるように前記区画部材に保持されてなる
ことを特徴とする液体封入式防振装置。
【請求項７】
振動源及び支持体に取り付けられる一対の取付部を連結する弾性部材と、同弾性部材と可撓性膜とによって区画形成され液体が封入された液室と、同液室を前記一対の取付部の相対変位により生じる前記弾性部材の変形に伴って内圧が変化する受圧室と前記可撓性膜が変形することにより容積変化が許容される平衡室とに区画する区画部材と、前記受圧室と前記平衡室とを連通するオリフィス通路とを備えるとともに、前記区画部材の内部に形成され同区各部材を構成する受圧室側仕切部材及び平衡室側仕切部材に設けられた貫通孔を通じて前記受圧室及び前記平衡室に連通する中間室と、前記受圧室側仕切部材と前記平衡室側仕切部材との間に収容され前記受圧室の内圧変化に伴って同中間室内で移動する可撓性材料からなる可動板とを備え、同可動板が前記受圧室側仕切部材又は前記平衡室側仕切部材に当接することによって前記貫通孔が覆われて同貫通孔を通じた液体の流動が遮断される液体封入式防振装置において、
前記可動板は前記中間室内で移動したときに前記各仕切部材と当接する当接部と、該当接部に接続されるとともに前記貫通孔に対応して位置し前記当接部よりも肉厚に形成された肉厚部とを含む
ことを特徴とする液体封入式防振装置。
【請求項８】
エンジンを車体に支持する自動車用のエンジンマウントとして適用される
請求項１〜７のいずれか一項に記載の液体封入式防振装置。
【発明の詳細な説明】
【技術分野】
【０００１】
本発明は、２つの液室をオリフィス通路によって接続し、液体がオリフィス通路を流動する際の流路抵抗を利用して防振効果を得る液体封入式防振装置に関し、特に自動車用のエンジンマウント等に用いられる液体封入式防振装置に関するものである。
【背景技術】
【０００２】
こうした液体封入式防振装置を自動車用のエンジンマウントに適用したものとして図９に示されるようなものが知られている。このエンジンマウントは、車体、エンジンにそれぞれ取り付けられる一対の取付部１，２をゴム等の弾性材料からなる弾性部材３によって連結することにより、マウント本体４が形成されている。更に、同マウント本体４には、可撓性膜５が設けられて弾性部材３の凹部３ａとこの可撓性膜５との間に液室６が形成されるとともに、区画部材７によってこの液室６が弾性部材３側の受圧室６ａと可撓性膜５側の平衡室６ｂとに区画されている。また、区画部材７の外周部分には区画部材７の中央部分を囲むように延びる通路が区画形成されている。この通路は、受圧室側開口７ａを介して受圧室６ａに接続されるとともに、平衡室側開口７ｂを介して平衡室６ｂに接続されることにより、受圧室６ａと平衡室６ｂとを連通するオリフィス通路８を構成している。そして、これら受圧室６ａ、平衡室６ｂ及びオリフィス通路８には、エチレングリコール等の非圧縮性の液体が封入されている。
【０００３】
こうしたエンジンマウントによれば、振動が入力されて弾性部材３が変形するのに伴って受圧室６ａの容積が変化すると、オリフィス通路８を通じて液体が流動するようになる。その結果、液体がオリフィス通路８を流動する際に生じる流路抵抗によって振動を減衰させ、弾性部材３の弾性変形だけでは得られない防振効果を得ることができるようになる。
【０００４】
ところで、オリフィス通路８の流路抵抗に基づいて発揮される防振効果は、通路断面積や通路長等々といったオリフィス通路８の緒元や液体の粘性等によって定まる比較的狭い振動周波数域においてのみ得られるものである。しかしながら、自動車用のエンジンマウントにあっては、入力される振動の周波数は車両の走行状態や機関運転状態に応じて変化する。それ故、入力される振動の周波数によっては、防振効果を十分に発揮できない場合がある。そればかりか、このようなエンジンマウントにおいて、オリフィス通路８の流路抵抗により減衰させようとする振動の周波数域よりも極めて高い周波数の振動が入力された場合には、オリフィス通路８の流路抵抗によって受圧室６ａと平衡室６ｂとの間で液体の流動が制限されるようになる。その結果、実質的にオリフィス通路８が閉塞状態となってしまい、それによってマウント本体４の高動ばね化が生じて防振効果が著しく低下してしまうという問題がある。
【０００５】
こうした高周波振動の入力に伴う高動ばね化を抑制すべく、特許文献１に記載のエンジンマウントでは区画部材７について以下の構成を採用するようにしている。即ち、図１０、図１１に示されるように、複数の貫通孔７１ａが形成された受圧室側仕切部材７１と、同受圧室側仕切部材７１の貫通孔７１ａと対応する位置に複数の貫通孔７２ａが形成された平衡室側仕切部材７２とを重ね合わせてこれら仕切部材７１，７２の間に中間室７４を形成するとともに、この中間室７４にゴム材料からなる可動板７３を移動可能に収容するようにしている。こうした構成によれば、振動の入力に伴って受圧室６ａの容積が減少する場合には、図１１（ａ）に示されるように可動板７３が中間室７４内で受圧室６ａ側に移動し、それに伴って中間室７４内の液体が受圧室６ａ内に供給されるようになる。一方、受圧室６ａの容積が増大する場合には、図１１（ｂ）に示されるように可動板７３が中間室７４内で平衡室６ｂ側に移動し、それに伴って受圧室６ａ内の液体が中間室７４内に流入するようになる。
【０００６】
また、振幅の大きな低周波振動の入力に伴って、図１１（ａ），（ｂ）に示されるように可動板７３が受圧室側仕切部材７１又は平衡室側仕切部材７２に当接すると、可動板７３によって貫通孔７１ａ，７２ａが閉塞される。そのため、貫通孔７１ａ，７２ａを通じた液体の流動が遮断されるようになり、受圧室６ａの容積変化に伴う液体の流動が主にオリフィス通路８を通じて行われるようになる。
【０００７】
従って、振幅の大きな低周波振動が入力されたときには極力オリフィス通路８を通じて液体を流動させ、その流路抵抗による防振効果を好適に得ることができるとともに、振幅の小さな高周波振動の入力時にはオリフィス通路８が実質的に閉塞状態となった場合であっても可動板７３が移動することによって受圧室６ａの内圧変化を緩和し、高動ばね化を抑制することができるようになる。
【特許文献１】特公平４‐１７２９１号公報
【発明の開示】
【発明が解決しようとする課題】
【０００８】
ところが、こうした可動板７３を備えたエンジンマウントにあっては、振動の入力に伴って可動板７３が移動した際に可動板７３が仕切部材７１，７２に衝突し、異音が発生することがある。そこで、こうした異音の発生を抑制すべく、可動板７３を弾性係数の小さい比較的柔軟なゴム材料により形成する、或いは可動板７３の厚さを薄くした構成を採用することにより、仕切部材７１，７２に衝突する際の衝撃を可動板７３の弾性変形によって吸収することも考えられる。しかしながら、こうした構成を採用すると、大振幅の振動が入力され、図１２に示されるように可動板７３が仕切部材７１，７２に押し付けられた際、その貫通孔７１ａ，７２ａに対応する部分が大きく撓むことにより受圧室６ａ側或いは平衡室６ｂ側に膨出し、この撓みによって受圧室６ａの内圧変化が吸収されてオリフィス通路８を流動する液体の量が減少することとなる。そして、このようにオリフィス通路８を流動する液体の量が減少することにより、そのオリフィス通路８の有する本来の防振機能が低下するおそれがある。
【０００９】
このように、従来の構成にあっては、オリフィス通路８の流路抵抗による防振機能を極力低下させずに、可動板の衝突による異音の発生を抑制することは困難であり、この点において改善の余地を残している。
【００１０】
尚、こうした課題は自動車のエンジンマウントに限らず、可動板を備えた区画部材によって仕切られた２つの液室をオリフィス通路によって接続した液体封入式防振装置にあっては、概ね共通するものである。
【００１１】
この発明は上記実状に鑑みてなされたものであり、その目的は可動板の移動によって低周波振動入力時の防振装置本体の高動ばね化を抑制する液体封入式防振装置において、オリフィス通路の流路抵抗による防振機能を極力低下させずに、可動板の衝突による異音の発生を抑制することにある。
【課題を解決するための手段】
【００１２】
以下、上記目的を達成するための手段及びその作用効果について記載する。
請求項１に記載の発明は、振動源及び支持体に取り付けられる一対の取付部を連結する弾性部材と、同弾性部材と可撓性膜とによって区画形成され液体が封入された液室と、同液室を前記一対の取付部の相対変位により生じる前記弾性部材の変形に伴って内圧が変化する受圧室と前記可撓性膜が変形することにより容積変化が許容される平衡室とに区画する区画部材と、前記受圧室と前記平衡室とを連通するオリフィス通路とを備えるとともに、前記区画部材の内部に形成され同区画部材を構成する受圧室側仕切部材及び平衡室側仕切部材に設けられた貫通孔を通じて前記受圧室及び前記平衡室に連通する中間室と、前記受圧室側仕切部材と前記平衡室側仕切部材との間に収容され前記受圧室の内圧変化に伴って同中間室内で移動する可撓性材料からなる可動板とを備え、同可動板が前記受圧室側仕切部材又は前記平衡室側仕切部材に当接することによって前記貫通孔が覆われて同貫通孔を通じた液体の流動が遮断される液体封入式防振装置において、前記可動板は液体が流動する隙間を有して前記貫通孔に遊挿される凸部を有してなることをその要旨とする。
【００１３】
また、請求項７に記載の発明は、振動源及び支持体に取り付けられる一対の取付部を連結する弾性部材と、同弾性部材と可撓性膜とによって区画形成され液体が封入された液室と、同液室を前記一対の取付部の相対変位により生じる前記弾性部材の変形に伴って内圧が変化する受圧室と前記可撓性膜が変形することにより容積変化が許容される平衡室とに区画する区画部材と、前記受圧室と前記平衡室とを連通するオリフィス通路とを備えるとともに、前記区画部材の内部に形成され同区各部材を構成する受圧室側仕切部材及び平衡室側仕切部材に設けられた貫通孔を通じて前記受圧室及び前記平衡室に連通する中間室と、前記受圧室側仕切部材と前記平衡室側仕切部材との間に収容され前記受圧室の内圧変化に伴って同中間室内で移動する可撓性材料からなる可動板とを備え、同可動板が前記受圧室側仕切部材又は前記平衡室側仕切部材に当接することによって前記貫通孔が覆われて同貫通孔を通じた液体の流動が遮断される液体封入式防振装置において、前記可動板は前記中間室内で移動したときに前記各仕切部材と当接する当接部と、該当接部に接続されるとともに前記貫通孔に対応して位置し前記当接部よりも肉厚に形成された肉厚部とを含むことをその要旨とする。
【００１４】
上記請求項１に記載の構成によれば、可動板は各仕切部材に形成された貫通孔に遊挿される凸部と、受圧室の内圧変化に伴って移動して各仕切部材と当接する部分（以下、当接部と称する）とによって構成されており、貫通孔に遊挿される凸部は貫通孔との間に液体が流動する隙間を有している。そのため、受圧室の内圧が変化すると、貫通孔と凸部との隙間を通じて液体が流動して可動板が中間室内で移動する。従って、可動板の移動により受圧室内の内圧変化が緩和されるようになり、オリフィス通路が実質的に閉塞状態となる高周波振動の入力時にあっても、防振装置本体の高動ばね化を抑制することができる。また、可動板が移動して受圧室側仕切部材又は平衡室側仕切部材に当接すると貫通孔は可動板によって覆われ、同貫通孔を通じた液体の流動が遮断されるようになる。その結果、大きな振幅の低周波振動が入力されたときには、貫通孔が遮断され液体が主にオリフィス通路を通じて流動するようになり、オリフィス通路の流路抵抗による防振効果を十分に得ることができる。
【００１５】
また、可動板の貫通孔に対応する部分に凸部を形成し、この部分を局所的に肉厚にしている。そのため、可動板全体を薄くするようにした構成とは異なり、仕切部材と当接する当接部については各仕切部材と衝突したときに異音が発生しない程度の柔軟性を有するようにその厚さを薄くする一方で、凸部が形成された部分についてはその厚さを相対的に厚くすることにより剛性を高めることができるようになる。これにより可動板が貫通孔を介して受圧室側或いは平衡室側に膨出するように撓むことを抑制することができる。
【００１６】
また、請求項７に記載の発明にあっては、可動板が中間室内で移動したときに各仕切部材に当接する当接部と、この当接部に接続されるとともに貫通孔に対応して位置し当接部よりも肉厚に形成された肉厚部とを含んで構成されている。そのため、請求項１に記載の発明と同様に、当接部については各仕切部材と当接したときに異音が発生しない程度の柔軟性を有するようにその厚さを薄くすることができる。一方で、貫通孔に対応する位置にはこの当接部よりも肉厚の肉厚部が形成されているため、その剛性が高くなり、これにより可動板が貫通孔を介して受圧室或いは平衡室側に膨出するように撓むことを抑制することができる。
【００１７】
このように、上記請求項１及び請求項７に記載の発明によれば、可動板の移動によって低周波振動入力時の防振装置本体の高動ばね化を抑制する液体封入式防振装置において、オリフィス通路の流路抵抗による防振機能を極力低下させずに、可動板の衝突による異音の発生を抑制することができるようになる。
【００１８】
また、中間室内で可動板がその延伸方向にずれた場合には、剛性の高い凸部が仕切部材に衝突して異音が発生するおそれがあるが、上記請求項１に記載の発明によれば、凸部が貫通孔に遊挿されているため、凸部の側面と貫通孔の内周面とが接触することによって可動板がその延伸方向にずれることが抑制され、仕切部材に凸部が当接することによる異音の発生についても好適に抑制することができる。
【００１９】
請求項２に記載の発明は、請求項１に記載の液体封入式防振装置において、前記可動板は、前記受圧室側仕切部材及び前記平衡室側仕切部材に複数形成された全ての前記貫通孔に対応するように前記凸部が複数設けられてなり、同凸部がそれぞれ対応する前記貫通孔に遊挿されてなることをその要旨とする。
【００２０】
貫通孔に遊挿される凸部を少なくとも１つ備えていれば、その部分の撓みを抑制するとともに、可動板の延伸方向へのずれを抑制することができるが、可動板の撓み及び可動板のずれを好適に抑制する上では、可動板に極力多くの凸部を設けることが望ましい。
【００２１】
このため、請求項２に記載の発明によるように、全ての貫通孔に対応するように複数の凸部を可動板に設け、同凸部をそれぞれ対応する貫通孔に遊挿するといった構成を採用することが望ましい。
【００２２】
請求項３に記載の発明は、請求項１又は請求項２に記載の液体封入式防振装置において、前記可動板は、弾性材料によって形成されてなることをその要旨とする。
同構成によれば、可動板が各仕切部材に衝突する際の衝撃が弾性材料によって形成された可動板の弾性変形によって吸収されるようになるため、可動板の衝突に伴って発生する異音をより好適に抑制することができる。
【００２３】
請求項４に記載の発明は、請求項１〜３のいずれか一項に記載の液体封入式防振装置において、前記可動板における前記受圧室側仕切部材又は前記平衡室側仕切部材と当接する当接部に繊維からなる補強材が埋入されてなることをその要旨とする。
【００２４】
可動板が仕切部材に当接した後、受圧室の内圧変化に伴って可動板が仕切部材に押し付けられることによって当接部が可動板の延伸方向に伸びると、それに伴って貫通孔に遊挿された凸部が更に移動し、この凸部の移動によって受圧室内の内圧変化が吸収されオリフィス通路を流動する液体の流量が減少することとなる。この点、請求項４に記載の発明によるように、当接部にナイロン等の繊維からなる補強材を埋入することにより、当接部の伸びを抑制し、こうした当接部の伸びによる凸部の移動を抑制することができる。また、補強材を埋入することにより、薄肉の当接部の破れ等についても抑制することができるようになる。
【００２５】
請求項５に記載の発明は、請求項１〜４のいずれか一項に記載の液体封入式防振装置において、前記受圧室側仕切部材及び前記平衡室側仕切部材の少なくとも一方における前記可動板と当接する部分は、同可動板側に向かって凸となるように隆起してなることをその要旨とする。
【００２６】
上記構成によれば、仕切部材における可動板と当接する部分が可動板に向かって凸となるように隆起しているため、可動板の仕切部材と当接する当接部は仕切部材における隆起した部分の先端側から徐々に当接するようになる。そのため、仕切部材が平坦に形成されており当接部全体が一度に当接する場合と比較して、可動板が衝突する際の衝撃を小さくすることができ、異音の発生を抑制することができる。
【００２７】
尚、可動板が衝突する際の衝撃に伴う異音の発生を抑制する上では、受圧室側仕切部材及び平衡室側仕切部材の双方において、可動板と当接する部分が可動板側向かって凸となるように隆起していることが望ましい。
【００２８】
請求項６に記載の発明は、請求項１〜５のいずれか一項に記載の液体封入式防振装置において、前記可動板は、その延伸方向における外周部分が弾性材料によって形成されてなり、同外周部分は前記受圧室の内圧変化に伴う移動量が前記受圧室側仕切部材及び平衡室側仕切部材と当接する部分の移動量よりも相対的に小さくなるように前記区画部材に保持されてなることをその要旨とする。
【００２９】
同構成によれば、可動板の外周部分は、その移動量が各仕切部材と当接する当接部の移動量よりも小さくなるように区画部材によって保持されている。そのため、受圧室の内圧変化に伴って可動板が各仕切部材に当接するときに、当接部が各仕切部材に当接するのに先立って外周部分の移動が規制されるようになる。従って、その後、当接部が各仕切部材に当接する際には、弾性材料によって形成された外周部分が弾性変形することより、当接部が各仕切部材に当接する際の衝撃が緩和され、その衝突に伴う異音がより好適に抑制されるようになる。
【００３０】
請求項８に記載の発明は請求項１〜７のいずれか一項に記載の液体封入式防振装置をエンジンを車体に支持する自動車用のエンジンマウントとして適用することをその要旨とする。
【００３１】
自動車のエンジンマウントは、機関運転状態や走行状態によって入力される振動の周波数が変化する。そのため、低周波振動の入力時にはオリフィス通路の流路抵抗による防振効果を得る一方で、高周波振動の入力時であっても可動板を移動させることによってマウント本体の高動ばね化を抑制し、広い振動周波数域において防振効果を得る必要がある。また、静粛性を要求される自動車にあっては、可動板が仕切部材に衝突する際の異音の発生を抑制することが要求される。
【００３２】
そこで、請求項８に記載の発明によるように、請求項１〜７のいずれか一項に記載の液体封入式防振装置をエンジンを車体に支持する自動車用エンジンマウントとして適用することにより、より広い振動周波数域において防振効果を得るとともに、可動板の衝突に伴う異音を好適に抑制することのできるエンジンマウントを実現することができる。
【発明を実施するための最良の形態】
【００３３】
以下、この発明にかかる液体封入式防振装置を、エンジンを車体に支持する自動車用エンジンマウントに具体化した一実施形態について、図１〜図４を参照して説明する。
図１は、本実施形態にかかるエンジンマウントの断面構造を示している。図１に示されるように、このエンジンマウントのマウント本体１０は車体に固定される車体側取付部材１１と、エンジンに連結されるエンジン側取付部材１２とを弾性部材１３を介して連結することにより形成されている。
【００３４】
車体側取付部材１１は、ボルト５０によって車体と連結される底部材１１ａと、円筒部材１１ｂとからなり、図１に示されるようにこれら底部材１１ａと円筒部材１１ｂとをかしめ加工によって一体に連結することにより有底円筒状に形成されている。円筒部材１１ｂの内周面は、ゴム等の弾性材料によって形成された有底円筒状の弾性部材１３の外周面と加硫接着されている。そして、弾性部材１３の上端部には、エンジンを連結するボルト５１及び位置決め用のピン５２が取り付けられた円盤状のエンジン側取付部材１２が加硫接着されている。
【００３５】
こうして形成されたマウント本体１０は、図１に示されるようにその内部に弾性部材１３の内周面と車体側取付部材１１の内周面とによって区画された空間を有している。また、底部材１１ａと円筒部材１１ｂとの間には、この空間を仕切る可撓性膜１４及び区画部材１６が挟持されている。可撓性膜１４は、ゴム等の変形容易な素材によって形成されており、十分に撓んだ状態で底部材１１ａと円筒部材１１ｂとの間に挟み込まれている。この可撓性膜１４と弾性部材１３の内周面とによって区画された空間には、エチレングリコール等の非圧縮性の液体が封入され、液室１５が形成されている。そして、図１に示されるようにこの液室１５は、可動板１００が収容された区画部材１６によって弾性部材１３側の受圧室１５ａと可撓性膜１４側の平衡室１５ｂとに区画されている。
【００３６】
次に、このエンジンマウントにおける区画部材１６のみを拡大して示す図２及び図３を併せ参照してこの区画部材１６の構成について詳しく説明する。尚、図３は区画部材１６を図２における受圧室１５ａ側（図２に矢印で示される方向）から見た状態を示す上面図である。
【００３７】
図２に示されるように区画部材１６は、受圧室１５ａ側に突出したハット形状をなす受圧室側仕切部材１８と、この受圧室側仕切部材１８よりも小径の突出部１９ｐを有する平衡室側仕切部材１９とを重ね合わせることにより形成されている。そして、受圧室側仕切部材１８と平衡室側仕切部材１９との間には、中央部分に可動板１００を収容する中間室２０が形成されるとともに、この中間室２０を取り囲むようにオリフィス通路１７が形成されている。
【００３８】
オリフィス通路１７は、受圧室側仕切部材１８に形成された受圧室側開口１８ａを通じて受圧室１５ａ側に連通されるとともに、平衡室側仕切部材１９に形成された平衡室側開口１９ａを通じて平衡室１５ｂ側に連通されている。尚、オリフィス通路１７は、マウント本体１０に振動が入力されるのに伴って液体が同オリフィス通路１７を流動する際に生じる流路抵抗によって、比較的大きな振幅の低周波振動を効果的に減衰することができるようにその通路断面積及び通路長が設定されている。
【００３９】
また、中間室２０は、受圧室側仕切部材１８に形成された複数の受圧室側貫通孔１８ｂによって受圧室１５ａ側に連通されている。これら受圧室側貫通孔１８ｂは、図３に示されるように受圧室側仕切部材１８に格子状の受圧室側仕切壁１８ｃを形成するようにそれぞれの形状及び配置が設定されている。また、図２に示されるように平衡室側仕切部材１９において、可動板１００を挟んでこの受圧室側貫通孔１８ｂと対向する位置には、受圧室側貫通孔１８ｂと同様の形状及び配置にて複数の平衡室側貫通孔１９ｂが形成されている。こうして中間室２０は、これら各貫通孔１８ｂ，１９ｂによって、受圧室１５ａ側及び平衡室１５ｂ側に連通されている。
【００４０】
このように受圧室１５ａ側及び平衡室１５ｂ側に連通されている中間室には、ゴム等の弾性材料によって形成された円盤状の可動板１００が収容されている。可動板１００は、中間室２０の内径よりも若干小径に形成されており、受圧室１５ａの内圧変化に伴って移動するように中間室２０内に収容されている。また、可動板１００には、図２及び図３に示されるように全ての貫通孔１８ｂ，１９ｂに対して液体の流動する隙間を有して遊挿される断面矩形状（図２）の凸部１２０が形成されている。
【００４１】
このように区画部材１６の中間室２０に収容された可動板１００は、これら複数の凸部１２０を連結している当接部１１０が格子状に形成された各仕切壁１８ｃ，１９ｃに当接することによってその移動量が所定の範囲に規制されるようになっている。
【００４２】
上述したように本実施形態にかかるエンジンマウントにあっては、このように可動板１００が収容された区画部材１６を底部材１１ａと円筒部材１１ｂとの間に挟み込むことによって受圧室１５ａと平衡室１５ｂとを区画している。
【００４３】
このような本実施形態のエンジンマウントにあっては、振動が入力されて弾性部材１３が変形するのに伴って受圧室１５ａの容積が変化すると、オリフィス通路１７を通じて液体が流動するとともに、可動板１００が中間室２０内で移動するようになる。
【００４４】
以下、図１において二点鎖線で囲んだ部分Ａを拡大して示す図４を参照して受圧室１５ａの内圧変化に伴う可動板１００の移動態様について説明する。尚、図４（ａ）は可動板１００が受圧室１５ａ側に移動した状態を、図４（ｂ）は可動板１００が平衡室１５ｂ側に移動した状態をそれぞれ示している。
【００４５】
マウント本体１０への振動の入力に伴って弾性部材１３が変形し、受圧室１５ａの内圧が低下すると、受圧室側貫通孔１８ｂと凸部１２０の側面１２０ａとの隙間を通じて中間室２０内の液体が受圧室１５ａに向かって流動し、それに伴って可動板１００を受圧室１５ａ側に引き寄せる力が作用するようになる。そして、平衡室側貫通孔１９ｂと凸部１２０の側面１２０ａとの隙間を通じて平衡室１５ｂ内の液体が中間室２０に向かって流動するとともに、可動板１００が受圧室１５ａ側へと移動するようになる。ここで、凸部１２０が受圧室側貫通孔１８ｂ及び平衡室側貫通孔１９ｂに遊挿されているため、凸部１２０の側面１２０ａが受圧室側貫通孔１８ｂ及び平衡室側貫通孔１９ｂの内周面、即ち受圧室側仕切壁１８ｃ及び平衡室側仕切壁１９ｃの側面と接触することにより可動板１００の延伸方向（図４における左右方向）へのずれが抑制され、可動板１００は円滑に受圧室１５ａ側へ移動するようになる。
【００４６】
可動板１００が中間室２０内で受圧室１５ａ側へと移動し、図４（ａ）に示されるように可動板１００の当接部１１０が受圧室側仕切壁１８ｃに当接すると、可動板１００によって受圧室側貫通孔１８ｂが閉塞され、中間室２０から受圧室１５ａへの液体の流動が遮断されるようになる。このとき、当接部１１０の肉厚は薄く設定されているため、可動板１００が受圧室側仕切壁１８ｃに当接する際には、当接部１１０が弾性変形するようになる。また、凸部１２０の肉厚は厚く設定されているため、可動板１００の剛性は凸部１２０において局所的に高くなっている。そのため、可動板１００の移動が受圧室側仕切壁１８ｃによって規制された後、受圧室１５ａの内圧が更に低下し続けた場合であってもその内圧の影響によって凸部１２０が受圧室１５ａ側に膨出するように撓むことが抑制される。
【００４７】
一方、マウント本体１０への振動の入力に伴って弾性部材１３が変形し、受圧室１５ａの内圧が上昇すると、受圧室側貫通孔１８ｂと凸部１２０の側面１２０ａとの隙間を通じて受圧室１５ａ内の液体が中間室２０に向かって流動し、それに伴って可動板１００を平衡室１５ｂ側に押し戻す力が作用するようになる。そして、平衡室側貫通孔１９ｂと凸部１２０の側面１２０ａとの隙間を通じて中間室２０内の液体が平衡室１５ｂに向かって流動するとともに、可動板１００が平衡室１５ｂ側へと移動するようになる。尚、ここでも、可動板１００が受圧室１５ａ側に移動する場合と同様に、凸部１２０の側面１２０ａが受圧室側仕切壁１８ｃ及び平衡室側仕切壁１９ｃの側面と接触することにより可動板１００の延伸方向（図４における左右方向）へのずれが抑制される。
【００４８】
可動板１００が中間室２０内で平衡室１５ｂ側へと移動し、図４（ｂ）に示されるように可動板１００の当接部１１０が平衡室側仕切壁１９ｃに当接すると、可動板１００によって平衡室側貫通孔１９ｂが閉塞され、中間室２０から平衡室１５ｂへの液体の流動が遮断されるようになる。このとき、可動板１００が受圧室側仕切壁１８ｃと当接する場合と同様に、当接部１１０の肉厚が薄く設定されているため、可動板１００が平衡室側仕切壁１９ｃに当接する際には、当接部１１０が弾性変形するようになる。また、凸部１２０の肉厚が厚く設定されているため、可動板１００の移動が平衡室側仕切壁１９ｃによって規制された後、受圧室１５ａの内圧が更に上昇し続けた場合であってもその内圧の影響によって凸部１２０が平衡室１５ｂ側に膨出するように撓むことが抑制される。
【００４９】
以上説明した本実施形態によれば、以下の効果が得られるようになる。
（１）可動板１００は各貫通孔１８ｂ，１９ｂに遊挿される凸部１２０と、受圧室１５ａの内圧変化に伴って移動した際に各仕切壁１８ｃ，１９ｃと当接する当接部１１０とによって構成されており、貫通孔１８ｂ，１９ｂに遊挿される凸部１２０は貫通孔１８ｂ，１９ｂとの間に液体が流動する隙間を有している。そのため、受圧室１５ａの内圧が変化すると、貫通孔１８ｂ，１９ｂと凸部１２０との隙間を通じて液体が流動して可動板１００が中間室２０内で移動する。従って、可動板１００の移動により受圧室１５ａ内の内圧変化が緩和されるようになり、オリフィス通路１７が実質的に閉塞状態となる高周波振動の入力時にあっても、マウント本体１０の高動ばね化を抑制することができる。また、可動板１００が移動して受圧室側仕切壁１８ｃ又は平衡室側仕切壁１９ｃに当接すると貫通孔１８ｂ，１９ｂは可動板１００によって覆われ、貫通孔１８ｂ，１９ｂを通じた液体の流動が遮断されるようになる。その結果、大きな振幅の低周波振動が入力されたときには、液体が主にオリフィス通路１７を通じて流動するようになり、オリフィス通路１７の流路抵抗による防振効果を十分に得ることができる。
【００５０】
また、可動板１００の貫通孔１８ｂ，１９ｂに対応する部分に凸部１２０を形成し、この部分を局所的に肉厚にしている。そのため、可動板１００全体を薄くするようにした構成とは異なり、当接部１１０については各仕切壁１８ｃ，１９ｃと衝突したときに異音が発生しない程度の柔軟性を有するようにその厚さを薄くする一方で、凸部１２０が形成された部分についてはその厚さを相対的に厚くすることにより剛性を高めることができるようになる。これにより可動板１００が貫通孔１８ｂ，１９ｂを介して受圧室１５ａ或いは平衡室１５ｂ側に膨出するように撓むことを抑制することができる。
【００５１】
このように、本実施形態のエンジンマウントによれば、可動板１００の移動によって低周波振動入力時のマウント本体１０の高動ばね化を抑制するとともに、オリフィス通路１７の流路抵抗による防振機能を極力低下させずに、可動板１００の衝突による異音の発生を抑制することができるようになる。
【００５２】
また、中間室２０内で可動板１００がその延伸方向にずれた場合には、剛性の高い凸部１２０が仕切壁１８ｃ，１９ｃに衝突して異音が発生するおそれがあるが、本実施形態のエンジンマウントにあっては、凸部１２０が貫通孔１８ｂ，１９ｂに遊挿されているため、凸部１２０の側面１２０ａと貫通孔１８ｂ，１９ｂの内周面とが接触することによって可動板１００がその延伸方向にずれることが抑制され、仕切壁１８ｃ，１９ｃに凸部１２０が当接することによる異音の発生についても好適に抑制することができる。
【００５３】
（２）貫通孔１８ｂ，１９ｂに遊挿される凸部１２０を少なくとも１つ備えていれば、その部分の撓みを抑制するとともに、可動板１００の延伸方向へのずれを抑制することができるが、可動板１００の撓み及び可動板１００のずれを好適に抑制する上では、可動板１００に極力多くの凸部１２０を設けることが望ましい。本実施形態のエンジンマウントにあっては、受圧室側仕切部材１８及び平衡室側仕切部材１９に複数形成された貫通孔１８ｂ，１９ｂの全てに対応するように複数の凸部１２０を設け、凸部１２０をそれぞれ対応する貫通孔１８ｂ，１９ｂに遊挿する構成を採用している。このため、可動板１００の撓み及び可動板１００のずれを好適に抑制することができる。
【００５４】
（３）可動板１００をゴム等の弾性材料によって形成しているため、可動板１００が各仕切壁１８ｃ，１９ｃに衝突する際の衝撃が可動板１００の弾性変形によって吸収されるようになる。そのため、可動板１００の衝突に伴って発生する異音をより好適に抑制することができる。
【００５５】
尚、上記実施形態は、これを適宜変更した以下の形態にて実施することもできる。
・図５に示されるように仕切壁１８ｃ，１９ｃの可動板１００と対向する面を可動板１００に向かって凸となるように隆起した凸面１８ｄ，１９ｄとする構成を採用することもできる。こうした構成によれば、受圧室１５ａの内圧変化に伴って可動板１００が移動した際に、可動板１００の当接部１１０は凸面１８ｄ，１９ｄの先端側から徐々に当接するようになる。そのため、仕切壁１８ｃ，１９ｃが平坦に形成されており当接部１１０全体が一度に当接する場合と比較して、可動板１００が衝突する際の衝撃を小さくすることができ、異音の発生を更に好適に抑制することができるようになる。尚、仕切壁１８ｃ，１９ｃのうち、受圧室側或いは平衡室側のいずれか一方の仕切壁にのみ、又はこれら複数の仕切壁１８ｃ，１９ｃのうちの一部にのみこうした凸面を設けるといった構成を採用することもできるが、可動板１００が衝突する際の衝撃に伴う異音の発生を抑制する上では、受圧室側仕切壁１８ｃ及び平衡室側仕切壁１９ｃの双方に、また極力多くの仕切壁１８ｃ，１９ｃにこうした凸面を設ける構成を採用することが望ましい。
【００５６】
・上記実施形態では、受圧室側仕切壁１８ｃ及び平衡室側仕切壁１９ｃに複数形成された全ての貫通孔１８ｂ，１９ｂに対応するように複数の凸部１２０を設け、凸部１２０をそれぞれ対応する貫通孔１８ｂ，１９ｂに遊挿する構成を示した。これに対して、少なくとも１つの貫通孔１８ｂ，１９ｂに対して凸部１２０が遊挿されていれば、その部分の撓みを抑制するとともに、可動板１００のずれを抑制することができる。そのため、例えば図６に示されるように平衡室側貫通孔１９ｂに遊挿される凸部１２０のみを備える構成の他、受圧室側貫通孔１８ｂに遊挿される凸部１２０のみを備える構成を採用することもできる。また、受圧室側仕切部材１８及び平衡室側仕切部材１９に形成された複数の貫通孔１８ｂ，１９ｂのうち、いくつかの貫通孔１８ｂ，１９ｂに遊挿される凸部１２０を備える構成を採用することもできる。
【００５７】
・また、可動板１００の当接部１１０にナイロン等の繊維からなる補強材を埋入することもできる。可動板１００が仕切壁１８ｃ，１９ｃに当接した後、受圧室１５ａの内圧変化に伴って可動板１００が仕切壁１８ｃ，１９ｃに押し付けられることによって当接部１１０が可動板１００の延伸方向に伸びると、それに伴って貫通孔１８ｂ，１９ｂに遊挿された凸部１２０が更に移動し、この凸部１２０の移動によって受圧室１５ａ内の内圧変化が吸収されオリフィス通路１７を流動する液体の流量が減少することとなる。この点、上記のように当接部１１０に補強材を埋入する構成を採用すれば、こうした当接部１１０の伸びによる凸部１２０の移動を抑制することができるようになる。また、補強材を埋入することにより、薄肉の当接部１１０の破れ等についても抑制することができる。
【００５８】
・尚、補強材としての繊維を当接部１１０のみならず、凸部１２０にも埋入する構成を採用することもできる。
・上記実施形態では、格子状の仕切壁１８ｃ，１９ｃを形成するように貫通孔１８ｂ，１９ｂの形状及び配置をそれぞれ設定する構成を示したが、貫通孔及び仕切壁の形状は適宜変更することができる。例えば、図７に示されるように、同一の形状を有する貫通孔１８ｅを受圧室側仕切部材１８に複数設けるといった構成を採用することもできる。
【００５９】
・また、例えば、図８に示されるように可動板１００の外周部１１１の先端１１１ａを断面円形状に形成するとともに、各仕切部材１８，１９において外周部１１１と対向する部分を突出させて保持部１８ｆ，１９ｆとすることにより、受圧室１５ａの内圧変化に伴う外周部１１１の移動量が当接部１１０の移動量よりも相対的に小さくなるように可動板１００を保持するといった構成を採用することもできる。こうした構成によれば、受圧室１５ａの内圧変化に伴って可動板１００が各仕切壁１８ｃ，１９ｃに当接するときに、当接部１１０が各仕切壁１８ｃ，１９ｃに当接するのに先立って外周部１１１の移動が保持部１８ｆ，１９ｆによって規制されるようになる。従って、その後、当接部１１０が各仕切壁１８ｃ，１９ｃに当接する際には、弾性材料によって形成された外周部１１１が弾性変形することより、当接部１１０が各仕切壁１８ｃ，１９ｃに当接する際の衝撃が緩和され、その衝突に伴う異音がより好適に抑制されるようになる。
【００６０】
・ゴム等の弾性材料によって可動板１００を形成する構成を例示したが、可動板１００は、仕切壁１８ｃ，１９ｃに当接した際に、当接部１１０が変形することによってその衝撃を緩和することができるように可撓性材料で形成されていればよい。そのため、ゴム等の弾性材料の他、可撓性を有する樹脂材料等によって可動板１００を形成することもできる。
【００６１】
・尚、上記実施形態では、可動板１００に断面矩形状の凸部１２０を形成し、その凸部１２０を貫通孔１８ｂ，１９ｂに遊挿する構成を示したが、可動板１００はこうした構成に限定されるものではない。即ち、可動板１００において、当接部１１０に接続され貫通孔１８ｂ，１９ｂに対応した部位が当接部１１０よりも肉厚に形成された肉厚部を備える構成であればよい。こうした構成であれば、当接部１１０の変形により仕切壁１８ｃ，１９ｃに衝突する際の衝撃を緩和するとともに、肉厚部の剛性により貫通孔１８ｂ，１９ｂに対応する部分の撓みを抑制することができる。またこの場合、肉厚部を貫通孔１８ｂ，１９ｂに遊挿する構成を採用することにより、中間室２０内で可動板１００がその延伸方向にずれ、剛性の高い肉厚部が仕切壁１８ｃ，１９ｃに衝突することによる異音の発生を抑制することもできるようになる。しかしながら、少なくとも貫通孔１８ｂ，１９ｂに対応する部分に肉厚部が形成されていれば、仕切壁１８ｃ，１９ｃとの衝突による異音の発生を抑制するとともに、可動板１００の撓みによる防振機能の低下を抑制することができるため、可動板１００の肉厚部は必ずしも貫通孔１８ｂ，１９ｂに遊挿されていなくてもよい。
【００６２】
・上記実施形態では、本発明にかかる液体封入式防振装置を自動車用のエンジンマウントに具体化した例を示したが、この発明は、トランスミッションを車体に連結する防振装置等にも適用することができる。また、その他、自動車用の防振装置に限らず、可動板を備えた区画部材によって仕切られた２つの液室をオリフィス通路によって接続した液体封入式防振装置に広く適用することができる。
【図面の簡単な説明】
【００６３】
【図１】この発明の一実施形態にかかるエンジンマウントの構造を示す断面図。
【図２】同実施形態にかかるエンジンマウントの区画部材を拡大して示す断面図。
【図３】同実施形態にかかる区画部材の上面図。
【図４】（ａ），（ｂ）は同実施形態にかかる可動板の移動態様を示す拡大断面図。
【図５】同実施形態の変更例にかかる区画部材の拡大断面図。
【図６】同実施形態の変更例にかかる区画部材の拡大断面図。
【図７】同実施形態の変更例にかかる区画部材の上面図。
【図８】同実施形態の変更例にかかる可動板の支持構造を示す拡大断面図。
【図９】一般のエンジンマウントの構造を示す断面図。
【図１０】一般のエンジンマウントの区画部材の分解斜視図。
【図１１】（ａ），（ｂ）は一般のエンジンマウントにおける可動板の移動態様を示す断面図。
【図１２】一般のエンジンマウントにおける可動板の変形態様を示す断面図。
【符号の説明】
【００６４】
１０…マウント本体、１１…車体側取付部材、１２…エンジン側取付部材、１３…弾性部材、１４…可撓性膜、１５…液室、１５ａ…受圧室、１５ｂ…平衡室、１６…区画部材、１７…オリフィス通路、１８…受圧室側仕切部材、１８ａ…受圧室側開口、１８ｂ…受圧室側貫通孔、１８ｃ…受圧室側仕切壁、１８ｄ…凸面、１８ｆ…保持部、１９…平衡室側仕切部材、１９ａ…平衡室側開口、１９ｂ…平衡室側貫通孔、１９ｃ…平衡室側仕切壁、１９ｄ…凸面、１９ｆ…保持部、２０…中間室、５０…ボルト、５１…ボルト、５２…ピン、１００…可動板、１１０…当接部、１２０…凸部。
【図１】
2008267453.tif 000003
【図２】
2008267453.tif 000004
【図３】
2008267453.tif 000005
【図４】
2008267453.tif 000006
【図５】
2008267453.tif 000007
【図６】
2008267453.tif 000008
【図７】
2008267453.tif 000009
【図８】
2008267453.tif 000010
【図９】
2008267453.tif 000011
【図１０】
2008267453.tif 000012
【図１１】
2008267453.tif 000013
【図１２】
2008267453.tif 000014